(57)【要約】【課題】本体のバッグと構造的、機能的、デザイン的に一体感があって、場合によっては取り外し、独立した一個のバッグとして使用することができる収納部を有するバッグを提供することにある。【解決手段】外部バッグと、該外部バッグへ収納可能な内部バッグからなり、外部バッグと内部バッグの開口部に、その開口部を閉じるための留め具が設けられていて、外部バッグへ内部バッグを収納した際に、外部バッグの開口部の片側に設けられた留め具と、内部バッグの開口部の片側に設けられた留め具とを固定することにより、外部バッグと内部バッグが固定され、構造的、機能的、デザイン的に一体感のある一のバッグとすることができる。【選択図】図１
2015058292.tif 000002
【特許請求の範囲】
【請求項１】
外部バッグと、該外部バッグへ収納可能な内部バッグからなり、外部バッグと内部バッグの開口部に、その開口部を閉じるための留め具が設けられていて、外部バッグへ内部バッグを収納した際に、外部バッグの開口部の片側に設けられた留め具と、内部バッグの開口部の片側に設けられた留め具とを固定することができることを特徴とする、中身入れ替え式のバッグ。
【請求項２】
前記留め具が開製品のファスナーであることを特徴とする、請求項１に記載の中身入れ替え式のバッグ。
【請求項３】
前記ファスナーの下止が設けられている一端が、前記外部バッグ及び前記内部バッグの開口部の端部を越えて外側に余剰に伸びていることを特徴とする、請求項２に記載の中身入れ替え式のバッグ。
【請求項４】
前記ファスナーの務歯又は務歯が取り付けられている周辺部が、スライダーが不可分である側と、スライダーが可分である側とで色分けされていることを特徴とする、請求項２又は３に記載の中身入れ替え式のバッグ。
【請求項５】
前記留め具がスナップボタンであることを特徴とする、請求項１に記載の中身入れ替え式のバッグ。
【請求項６】
前記留め具が面ファスナーであることを特徴とする、請求項１に記載の中身入れ替え式のバッグ。
【請求項７】
前記内部バッグがバッグとして独立して使用可能な構成であることを特徴とする、請求項１〜６のいずれかに記載の中身入れ替え式のバッグ。
【発明の詳細な説明】
【技術分野】
【０００１】
本発明は、中身を入れ替えることができるバッグに関するものである。
【背景技術】
【０００２】
市販されているバッグの多くはその内部に、本体と不可分の複数の収納部分を有している。一方、大きなバッグの中に収納する目的で使用されるバッグインバッグ又はバッグインポーチが知られている。
【０００３】
従来のバッグにおいては、その中身を入れ替えようとすると、いちいち中身を取り出して、新たに物を収納しなおすといった手間がかかってしまう。この過程は、収納物の紛失や、時間の浪費の原因となることが多い。一方、バッグインバッグ等はこのような問題を解決するものであり、収納するバッグインバッグ等を移し替えるだけで、大きなバッグの中身を容易に入れ替えることができる。
【０００４】
例えば、非特許文献１には、内部に複数の収納部を備えるバッグインバッグが開示されている。一方、非特許文献２には、外部に複数の収納部を備えるバッグインバッグが開示されている。
【０００５】
また、特許文献１には横幅を自在に伸縮させることができるバッグインポーチが記載されている。
【０００６】
しかし、バッグインバッグ等は、それを収納する大きなバッグとは独立した別個のものであるので、大きなバッグとバッグインバッグとは構造的、機能的そしてデザインとしての一体感を有していない場合が多い。例えば、バッグインバッグと大きなバッグの開口部を閉じるときには、それぞれ別々に閉じる作業が必要である。
【先行技術文献】
【非特許文献】
【０００７】
【非特許文献１】http://www.muji.net/store/cmdty/detail/4934761794464?searchno=1
【非特許文献２】http://www.vannuys.co.jp/n_baginbag/
【特許文献】
【０００８】
【特許文献１】実用新案登録第３０７５４３７号
【発明の概要】
【発明が解決しようとする課題】
【０００９】
本発明は、このような従来品の問題点を解決しようとするものである。
したがって、本発明の技術課題は、本体のバッグと構造的、機能的、デザイン的に一体感があって、場合によっては取り外し、独立した一個のバッグとして使用することができる収納部を有するバッグを提供することにある。
【課題を解決するための手段】
【００１０】
本発明は課題を解決するために、次のような技術的手段を採る。
【００１１】
即ち本発明は、図１〜図４に示すように、外部バッグ１と、外部バッグ１へ収納可能な内部バッグ２からなり、外部バッグ１と内部バッグ２の開口部に、その開口部を閉じるための留め具が設けられていて、外部バッグ１へ内部バッグ２を収納した際に、外部バッグ１の開口部の片側に設けられた留め具３１ａ／３２ａと、内部バッグ２の開口部の片側に設けられた留め具４２ａ／４１ａとを固定することができることを特徴とする（請求項１）。したがって、外部バッグ１及び内部バッグ２の開口部を接合させ閉じた場合には、構造的、機能的に一体感のある一つのバッグとして使用することができる。
【００１２】
本発明の場合、図２に示すように一つの外部バッグ１の中に２つの内部バッグ２を収納し、同時にその開口部を留め具によって固定することができる。
【００１３】
本発明は、図１〜４に示すように前記留め具としてファスナーを使用することができる（請求項２）。この場合、外部バッグ１のファスナーの務歯３１ａ又は３２ａと内部バッグ２のファスナーの務歯４２ａ又は４１ａとが噛み合う向きで、外部バッグ１の中に内部バッグ２を収納すれば（図３ａ）、外部バッグ１と内部バッグ２の開口部を同時にファスナーで閉じることができ（図３ｂ）、一つの一体感のあるバッグとして使用することができる。
【００１４】
そして、この場合には、ファスナーの下止が設けられている一端が、外部バッグ１及び内部バッグ２の開口部の端部を越えて外側に余剰に伸びている構成をとってもよい（請求項３）。このような構成をとることにより、内部バッグ２を外部バッグ１に収納する向きを容易に判断することができ、またファスナーの開閉が容易になる。
【００１５】
前記ファスナーの務歯又は務歯が取り付けられている周辺部が、スライダーが不可分である側と、スライダーが可分である側とで色分けしてもよい（請求項４）。こうすることにより、外部バッグ１へ内部バッグ２を収納した際に、噛み合わせて閉じることができるファスナーの務歯の組み合わせを容易に判断することができる。
【００１６】
また、本発明は、図５に示すように、前記留め具としてスナップボタンを採用することができる（請求項５）。この場合、外部バッグ１の開口部に設けられたスナップボタンの凸部品３１ｂ／凹部品３２ｂを、内部バッグ２の開口部に設けられた凹部品４２ｂ／凸部品４１ｂにはめ込めるように、外部バッグ１の中に内部バッグ２を収納すれば（図５ａ）、外部バッグ１と内部バッグ２の開口部を同時に閉じることができ（図５ｂ）、一体感のある一つのバッグとして使用することができる。
【００１７】
さらに、本発明は図６に示すように、前記留め具として面ファスナーを採用することができる（請求項６）。この場合、外部バッグ１の開口部に設けられた面ファスナーのループ面３１ｃ／フック面３２ｃを、内部バッグ２の開口部に設けられたフック面４２ｃ／ループ面４１ｃと貼り合わせられるように、外部バッグ１の中に内部バッグ２を収納すれば（図５ａ）、外部バッグ１と内部バッグ２の開口部を同時に閉じることができ（図５ｂ）、一体感のある一つのバッグとして使用することができる。
【００１８】
外部バッグ１と内部バッグ２は切り離して、それぞれ独立したバッグとして使用することができる（請求項７）。この際、外部バッグ１と内部バッグ２には、それぞれストラップ５、持ち手６を備えることが好ましい。これらを備えることにより、それぞれのバッグを持ち運び易くすることができる。
【００１９】
本発明の構成によれば一つの外部バッグ１に対しては二つの内部バッグ２を固定することができる（図２、図４参照）。二つの内部バッグ２を取り付ける場合であっても、それぞれの内部バッグ２の開口部は、外部バッグ１の開口部の留め具によって独立して開け閉めできる。
【発明の効果】
【００２０】
本発明によれば、一つの内部バッグへ、共通した目的を持つ一群の収納物を収納しておけば、その収納物をいちいちバッグへ出し入れする過程を要さずに、外部バッグへ収納する内部バッグを入れ替えるだけで、持ち運ぶ収納物の入れ替えを簡便に行うことができる。
また、本発明は、従来のバッグインバッグとは異なり、内部バッグと外部バッグの開口部を留め具により固定することが可能なので、内部バッグと外部バッグを一体的に使用することができる。すなわち、外部バッグと内部バッグは構造的、機能的、デザイン的に一体感のある一つのバッグとして使用することができる。
また、本発明によれば、外部バッグと内部バッグを切り離して、それぞれ独立した一つのバッグとして使用することができる。
【図面の簡単な説明】
【００２１】
【図１】本発明の実施形態１に係る中身入れ替え式バッグを示す斜視図である。
【図２】本発明の実施形態１に係る中身入れ替え式バッグを示す斜視図である。
【図３】本発明の実施形態１に係る中身入れ替え式バッグの外部バッグと内部バッグの開口部を示す斜視図である。
【図４】本発明の実施形態１に係る中身入れ替え式バッグを示す断面図である。
【図５】本発明の実施形態２に係る中身入れ替え式バッグの外部バッグと内部バッグの開口部を示す斜視図と、該中身入れ替え式バッグの断面図である。
【図６】本発明の実施形態３に係る中身入れ替え式バッグの外部バッグと内部バッグの開口部を示す斜視図と、該中身入れ替え式バッグの断面図である。
【発明を実施するための形態】
【００２２】
以下、本発明の実施形態について図１〜図６を参照して説明する。
＜実施形態１＞
図１〜４は、内部バッグ２を外部バッグ１の内部に収納して、それぞれの開口部に設けられたファスナーにより、内部バッグ２と外部バッグ１を固定することができる、本発明の中身入れ替え式バッグの一形態を表す。以下、詳細に説明する。
【００２３】
外部バッグ１と内部バッグ２の素材は、通常バッグに用いられるものであるのならば、特に限定されない。ただし、図示例のように内部バッグ２と、外部バッグ１の素材は同一であることが好ましい。
【００２４】
図１〜４に示すように、外部バッグ１と内部バッグ２の開口部には、バッグの開口部を開閉することができるファスナーが設けられている。外部バッグ１においてはファスナーの務歯３１ａと３２ａ、内部バッグにおいてはファスナーの務歯４１ａと４２ａを噛み合わせることにより、それぞれのバッグの開口部を閉じることができる（図４（ａ）参照）。
【００２５】
内部バッグ２と外部バッグ１には同一の種類で、同じ長さのファスナーが設けられている。すなわち、ファスナーの務歯３１ａ、３２ａ、４１ａ及び４２ａの長さは等しい。このような構成をとることで、図３、４に示すように、内部バッグを外部バッグに収納し、ファスナーを閉じることで、内部バッグ２と外部バッグ１を、ずれを生じることなく固定することができる。
外部バッグ１へ内部バッグ２を固定する態様は大きく分けて２種類ある。一の態様では、図４（ｂ）及び（ｃ）に示すように、外部バッグ１と内部バッグ２のファスナーを閉じることで、内部バッグ２の開口部を閉じるように固定することができる。また、反転させた内部バッグ２と外部バッグ１のファスナーを閉じれば、図４（ｄ）及び（ｅ）に示すように、内部バッグ２の開口部が開くように固定することができる。
【００２６】
図４に示すように、外部バッグ１の厚みは、内部バッグ２が二つ収納できるのに十分な厚みに設定することが好ましい。こうすることにより、図４（ｃ）及び（ｅ）に示すように、一つの外部バッグ１に対して同時に二つの内部バッグ２を収納し、それぞれをファスナーにより固定することができる。
【００２７】
外部バッグ１に供えられたファスナーの務歯と、内部バッグ２ファスナーの務歯を噛み合わせて閉じるためには、内部バッグ２が正しい向きで外部バッグ１に収納されなければならない。そのための指標となるように、図１〜３に示すように、ファスナーの下止が設けられている一端が、外部バッグ１及び内部バッグ２の開口部の端部を越えて外側に余剰に伸びている構成をとることが好ましい。このような構成をとることによって、ファスナーの端の長さを見て判断し、容易に内部バッグ２を外部バッグ１へ正しい向きで収納することができる。また、この構成をとるとファスナーの下止めが外部バッグの外側に出ることになるので、ファスナーの開閉が非常に容易になる。
【００２８】
さらに、開口部に取り付けられたファスナーの務歯３１ａと４２ａに同じ色を付して、これと異なる色を３２ａと４１ａに付すことが好ましい。このような形態をとることによって、噛み合う務歯の組み合わせを一目で判断することができ、混乱することなく開口部をファスナーで閉じることができる。
【００２９】
外部バッグ１及び内部バッグ２には、それぞれを独立したバッグとして使用する際に、持ち運びが容易になるように、図１〜３に示すように、それぞれストラップ５及び持ち手６を備えることが好ましい。それぞれのバッグに設けるストラップ５及び持ち手６の形態に関しては、通常のバッグに備え付けられる一般的なものであれば特に限定されない。
【００３０】
図示例のように、外部バッグ１に設けるストラップ５には、肩当て７、そして差込８を設けることが好ましい。
内部バッグ２に設ける持ち手６は、外部バッグ１内に収納する際に邪魔にならない形態であることが好ましい。図１に示すように、内部バッグ２を外部バッグ１に収納した際に、内部バッグ２の持ち手６は、外部バッグ１の底につかない程度にその長さを設定することが好ましい。
【００３１】
図１に示すように、外部バッグの片面に開口部をふさぐためのフラップ９を備えることが好ましい。フラップ９の形態については特に限定されない。図示例においてフラップ９は、バッグと同じ素材で形状は台形である。
【００３２】
一つの外部バッグ１について使用される内部バッグ２は二つに限られず、複数用意することが好ましい。この場合には、複数種類の色の内部バッグ２を用意することがより好ましい。このような実施形態をとれば、例えば、赤色は化粧用品、青色は筆記用具、黄色は仕事の書類、というように、あらかじめ収納する物を色の異なる内部バッグ２へ分別しておくことで、外出する際に、必要な物が入った内部バッグ２を色で判断して容易に選択し、外部バッグ１へ収納することができるという効果が得られる。
＜実施形態２＞
【００３３】
図５に示すように、前記ファスナーに代え、スナップボタンを、外部バッグ１と内部バッグ２の開口部を閉じるための留め具として使用してもよい。開口部に設けるスナップボタンの個数及び、その間隔は開口部の開閉が不便にならない範囲であれば、特に限定されない。図５（ａ）に示すように、本実施形態では、外部バッグ１と内部バッグ２の開口部に、それぞれ３つのスナップボタンが、同間隔で設けられている。
【００３４】
図５（ｂ）に例示するように、外部バッグ１及び内部バッグ２の開口部には、凸部品３１ｂ及び４１ｂが上向き、凹部品３２ｂ及び４２ｂが下向きになるようにスナップボタンが設けられている。凸部品と凹部品の向きは特に限定されないが、外部バッグ１と内部バッグ２をスナップボタンで固定するためには、それぞれのバッグに設けられる凹凸両部品の向きは同一でなければならない。
＜実施形態３＞
【００３５】
図６に示すように、前記ファスナーに代え、面ファスナーを外部バッグ１と内部バッグ２の開口部を閉じるための留め具として使用してもよい。開口部に設ける面ファスナーの枚数及びその間隔は、開口部の開閉が不便にならない範囲であれば、特に限定されない。図６（ａ）に示すように、本実施形態においては、外部バッグ１と内部バッグ２の開口部に、それぞれ３枚の面ファスナーが、同間隔で設けられている。
【００３６】
図６に例示するように、面ファスナーはそれぞれのバッグの開口部に、上向きもしくは下向きに取り付けられている。この場合、面ファスナーのループ面（３１ｃ及び４１ｃ）又はフック面（３２ｃ及び４２ｃ）のどちらを上向き又は下向きに設けるかは、特に限定されない。しかし、外部バッグ１と内部バッグ２を固定するためには、それぞれのバッグの開口部に取り付けられるループ面（３１ｃ及び４１ｃ）、並びにフック面（３２ｃ及び４２ｃ）の向きを揃えなければならない。
【００３７】
なお、実施例１におけるファスナー以外の構成は、実施形態１及び２においても当然に適用できる。
【符号の説明】
【００３８】
１  外部バッグ
２  内部バッグ
３１ａ  外部バッグの開口部に備えられるファスナーの務歯
３２ａ  外部バッグの開口部に備えられるファスナーの務歯
４１ａ  内部バッグの開口部に備えられるファスナーの務歯
４２ａ  内部バッグの開口部に備えられるファスナーの務歯
３１ｂ  外部バッグの開口部に供えられるスナップボタンの凸部品
３２ｂ  外部バッグの開口部に供えられるスナップボタンの凹部品
４１ｂ  内部バッグの開口部に供えられるスナップボタンの凸部品
４２ｂ  内部バッグの開口部に供えられるスナップボタンの凹部品
３１ｃ  外部バッグの開口部に供えられる面ファスナーのループ面
３２ｃ  外部バッグの開口部に供えられる面ファスナーのフック面
４１ｃ  内部バッグの開口部に供えられる面ファスナーのループ面
４２ｃ  内部バッグの開口部に供えられる面ファスナーのフック面
５  ストラップ
６  持ち手
７  肩当て
８  差込
【図１】
2015058292.tif 000003
【図２】
2015058292.tif 000004
【図３】
2015058292.tif 000005
【図４】
2015058292.tif 000006
【図５】
2015058292.tif 000007
【図６】
2015058292.tif 000008